(57)【要約】【課題】  未開封の容器を開栓する動作に応じてキャップから破断される環状部材が分離するよりも先に、容器の密封性が損なわれることを防止する金属製キャップ付き容器およびその成形方法を提供することを目的とする。【解決手段】  容器本体１０の口頸部１０ａに螺合するキャップ２０が未開封であるか否かが外観から視認できる容器１において、未開封であるキャップ２０の開栓動作に応じてブリッジ２５が破断してキャップ２０から分離されるタンパーエビデンスバンド２６の分離よりも先に、キャップ２０の内面側に設けられたライナー２２と容器本体１０の開口端との密着が解除されないように凹部２４ｄで半径方向内方に外側突起部２２ｃを押しつけるものである。【選択図】図４
2013082488.tif 000002
【特許請求の範囲】
【請求項１】
開口端である口部と筒状の頸部とが一体化された口頸部を有する容器本体と、前記開口端と密着して当接する封止部材であるライナーを内面側に有する天板部と当該天板部の周縁部分から垂下しかつ前記頸部の外周面に螺合するネジ部が形成されたスカート部とを有する金属製のキャップとを備える金属製キャップ付き容器において、
樹脂製の前記ライナーは、少なくとも前記口部の外周側壁と密接するように配設され、
前記キャップは、前記スカート部において前記周縁部分から前記ネジ部の間に、前記ライナーを前記外周側壁に押しつけるように半径方向内方に凹んだ環状の凹部を有し、
前記凹部により前記ライナーを前記外周側壁に密着して当接させることを特徴とする金属製キャップ付き容器。
【請求項２】
前記口部の外周側壁は、縦断面で直線状に形成された外周側面を含み、
前記ライナーは、前記外周側壁のうち少なくとも前記外周側面と密接するように配設されるとともに、前記凹部により少なくとも前記外周側面に密着して当接させられる
ことを特徴とする請求項１に記載の金属製キャップ付き容器。
【請求項３】
前記ライナーは、前記凹部により、縦断面で曲線状に形成された前記外周側壁における外周下面と密着して当接されることを特徴とする請求項１または２に記載の金属製キャップ付き容器。
【請求項４】
開口端である口部と筒状の頸部とが一体化された口頸部を有する容器本体と、前記開口端と密着して当接する封止部材であるライナーを内面側に有する天板部と当該天板部の周縁部分から垂下しかつ前記頸部の外周面に螺合するネジ部が形成されたスカート部とを有する金属製のキャップとを備える金属製キャップ付き容器の成形方法であって、
前記スカート部における前記天板部の周縁部分から前記ネジ部の間において、
前記口部の外周側壁と密接するように配設された樹脂製の前記ライナーを、当該外周側壁に押しつけるような半径方向内方に凹んだ環状の凹部が成形されるように、
前記容器本体の軸線方向と直交する方向で、前記容器本体の口頸部に冠着された前記キャップの外面側から、成形ローラによる荷重を当該キャップに作用させる
ことを特徴とする金属製キャップ付き容器の成形方法。
【請求項５】
前記口部の外周側壁は、縦断面で直線状に形成された外周側面と、縦断面で曲線状に形成された外周下面とを含み、
前記外周側壁のうち少なくとも前記外周側面と密接するように配設させた前記ライナーを前記外周側面に密着して当接させるとともに、当該ライナーの下端を前記外周下面に密着して当接させるように半径方向内方に押し込む前記凹部が成形される
ことを特徴とする請求項４に記載の金属製キャップ付き容器の成形方法。
【請求項６】
成形トルクが１Ｎ・ｍ以上４Ｎ・ｍ以下の前記成形ローラによって、前記軸線方向と直交する方向に成形荷重を作用させて前記凹部を成形させる
ことを特徴とする請求項４または５に記載の金属製キャップ付き容器の成形方法。
【発明の詳細な説明】
【技術分野】
【０００１】
この発明は、流動性の内容物を収容する容器に関し、特に、未開封の容器であることが外観から視認できる構造の金属製キャップを備えた金属製の容器およびその成形方法に関するものである。
【背景技術】
【０００２】
従来、飲食物を内容物とし、特にキャップの繰り返しの開閉が可能な容器、例えば合成樹脂製キャップや金属製キャップを使用する容器において、未開封のキャップが装着された状態であるか否かを目視で判断できるように、容器の開封時にブリッジを介してキャップのスカート部に連結された部分が破断してキャップから分離する環状部材、いわゆるタンパーエビデンスバンド（以下「ＴＥバンド」と記す場合がある。）を備えた容器が広く知られている。これにより、容器に装着されたキャップが一度開封されたものであるか、または未開封のキャップが装着されたものであるかが、外観から容易に認識でき判別できるようになった。
【０００３】
そのＴＥバンドを備えた金属製キャップのキャッピング方法として、その外周面にネジ部を有する容器口部にキャップを被冠させ、ロールオン成形によりこのキャップのスカート部にネジ部を成形するとともに、このスカート部の下端に形成されているＴＥバンドを容器口部の下方部分に係止させることが知られている。
【０００４】
ＴＥバンドは、これをスカート部に繋いでいるブリッジが破断することにより、キャップが開栓されたことを表すためのものであるのに対して、容器の密閉状態はキャップの内面、特にキャップの内面に設けられているライナーが容器の口部に密着することにより維持される。すなわち、ブリッジが破断するのに要するキャップの上昇量と、ライナーが口部から離れるのに要するキャップの上昇量とは直接は関係していない。そのため、ＴＥバンドがブリッジの部分で破断するのに要するキャップの上昇量が大きい場合には、ＴＥバンドがブリッジの部分で破断しなくても、ライナーが口部から離れて僅かなりとも開栓状態になってしまう可能性、あるいは密閉状態が解除されてしまう可能性がある。
【０００５】
従来、ブリッジが破断するまでは容器の密閉状態を維持するように構成された容器が種々知られている。例えば、特許文献１には、容器蓋の内側にライナーを備え、そのライナーの外側リングの下端を容器口部のカール部外周縁よりも内方に突出するようにカール部下端に接触させる内方突出部を備えた容器が開示されている。この容器の製造方法として、金属製容器の口部に装着されるライナー付き金属製容器蓋において、容器蓋を上方から押圧しながら天面壁からスカート壁にかかるコーナー部分を絞り成形することによってライナーの外側リングの下端をカール部外周縁より内方に突出させた内方突出部を形成することが記載されている。この内方突出部を容器口部のカール部の外側面に密着させることで、ブリッジの破断よりも先に容器の密封状態が解除されることを防止している。
【０００６】
また、特許文献２には、軸線方向への押圧力により容器もしくは口部のネジ形状などを座屈させないように、キャップ材の成型用ローラが天板部の外周縁部に傾斜して当接することで段差部を形成させることが記載されている。また、軸線方向への押圧力により仮段差部を形成した後に傾斜させたローラにより肩部を押圧し段差部を形成することや、軸線方向の突出したキャップ材の外周縁部とライナーと容器口部とを含む部分をプレッシャーブロックの端部とローラで挟み込むようにしてローラを水平方向にキャップ材の外周部に当接させることが記載されている。
【先行技術文献】
【特許文献】
【０００７】
【特許文献１】特開２００８−７４４４０号公報
【特許文献２】特開２００４−２１０４０３号公報
【発明の概要】
【発明が解決しようとする課題】
【０００８】
しかしながら、上述した特許文献１に記載された発明では、ロールオンキャッピングの際にキャップを容器の口部に押し付けておく荷重と同様に、キャップのコーナー部あるいはその近傍を下方に押圧して、口部に対するライナーの密着領域を増大させるように構成されている。すなわち、その場合の成形荷重の多くはキャップの軸線方向に向けたものとなる。そのため、特許文献１に記載されている内方突出部を必ずしも十分には形成できない可能性があり、ブリッジが破断しＴＥバンドが分離する前に容器の密閉状態が解除されてしまう虞がある。
【０００９】
また、特許文献２に記載の成形方法では、ボトル缶の軸線方向に対して交差する方向から荷重を加えることで、ボトル缶への軸線方向の荷重を低減し、座屈を防止しているが、キャップ材における肩部の上端からカール部下方に隣接する位置までに全体的に段差部を形成しているため、今度は、軸線方向に交差する方向に大きな荷重が加えられることとなり、口金部の変形を引き起こし、密封性が損なわれる虞があった。
【００１０】
さらに、単に容器内の密封性を確保するために容器口部とライナーとの密着力を強化し続ければよいものではなく、キャップを開栓する者にとって、必要以上に強い回転力を要せずに開栓できる容器であることが望まれる。
【００１１】
そこで、この発明は、上述の技術的課題に着目してなされたものであり、容器にキャップを冠着させる工程の複雑化や煩雑さを招かずに成形でき、金属製キャップの開栓動作に応じてキャップから破断させる環状部材が分離するに到るまでは容器内の密封性を確保できる金属製キャップ付き容器およびその成形方法を提供することを目的とする。
【課題を解決するための手段】
【００１２】
上記従来技術の課題を解決するために、請求項１に係る発明は、開口端である口部と筒状の頸部とが一体化された口頸部を有する容器本体と、前記開口端と密着して当接する封止部材であるライナーを内面側に有する天板部と当該天板部の周縁部分から垂下しかつ前記頸部の外周面に螺合するネジ部が形成されたスカート部とを有する金属製のキャップとを備える金属製キャップ付き容器において、樹脂製の前記ライナーは、少なくとも前記口部の外周側壁と密接するように配設され、前記キャップは、前記スカート部において前記周縁部分から前記ネジ部の間に、前記ライナーを前記外周側壁に押しつけるように半径方向内方に凹んだ環状の凹部を有し、前記凹部により前記ライナーを前記外周側壁に密着して当接させることを特徴とするものである。
【００１３】
請求項２に係る発明は、請求項１の構成に加え、前記口部の外周側壁が、縦断面で直線状に形成された外周側面を含み、前記ライナーは、前記外周側壁のうち少なくとも前記外周側面と密接するように配設されるとともに、前記凹部により少なくとも前記外周側面に密着して当接させられることを特徴とする金属製キャップ付き容器である。
【００１４】
請求項３に係る発明は、請求項１または２に記載の構成に加え、前記ライナーが、前記凹部により、縦断面で曲線状に形成された前記外周側壁における外周下面と密着して当接されることを特徴とする金属製キャップ付き容器である。
【００１５】
上記従来技術の課題を解決するために、請求項４に係る発明は、開口端である口部と筒状の頸部とが一体化された口頸部を有する容器本体と、前記開口端と密着して当接する封止部材であるライナーを内面側に有する天板部と当該天板部の周縁部分から垂下しかつ前記頸部の外周面に螺合するネジ部が形成されたスカート部とを有する金属製のキャップとを備える金属製キャップ付き容器の成形方法であって、前記スカート部における前記天板部の周縁部分から前記ネジ部の間において、前記口部の外周側壁と密接するように配設された樹脂製の前記ライナーを、当該外周側壁に押しつけるような半径方向内方に凹んだ環状の凹部が成形されるように、前記容器本体の軸線方向と直交する方向で、前記容器本体の口頸部に冠着された前記キャップの外面側から、成形ローラによる荷重を当該キャップに作用させることを特徴とするものである。
【００１６】
請求項５に係る発明は、請求項４の構成に加え、前記口部の外周側壁が、縦断面で直線状に形成された外周側面と、縦断面で曲線状に形成された外周下面とを含み、前記外周側壁のうち少なくとも前記外周側面と密接するように配設させた前記ライナーを前記外周側面に密着して当接させるとともに、当該ライナーの下端を前記外周下面に密着して当接させるように半径方向内方に押し込む前記凹部が成形されることを特徴とする金属製キャップ付き容器の成形方法である。
【００１７】
請求項６に係る発明は、請求項４または５の構成に加え、成形トルクが１Ｎ・ｍ以上４Ｎ・ｍ以下の前記成形ローラによって、前記軸線方向と直交する方向に成形荷重を作用させて前記凹部を成形させることを特徴とする金属製キャップ付き容器の成形方法である。
【発明の効果】
【００１８】
請求項１の発明によれば、キャップに形成された凹部がライナーを開口端である口部に押しつけるようにして密着させるため、開栓動作中においても容器の密封性を確保できる。また、スカート部と環状部材とが破断し始めてからその環状部材がキャップから分離するよりも先に、容器の密封性が損なわれることを確実に防止できる。さらに、容器本体の口頸部に冠着させたキャップに凹部を成形させる工程が発生するのみで、キャッピング工程の複雑化や装置の大型化や増設なども必要なく生産ラインに導入できる。
【００１９】
請求項２の発明によれば、容器の密封性を維持するためにライナーが密着する部分が、縦断面が直線状の外周側面であるために、キャップを一定の回転力によって旋回させて開栓させることができる。また、凹部により密着させられるライナーの密着力も開栓動作に応じてキャップが軸線方向に動作する際も、その密着力が一定に保たれるため容器の密封性を一定して確保することができる。
【００２０】
請求項３の発明によれば、ライナーの下端が口部の外周下面に密着するため、直線状の外周側面から回り込むようにしてライナーと口部が密着でき、密封性を向上させることができる。また、そのライナー下端部分が、容器の半径方向内方に突出しているため、開栓動作に応じてキャップが軸線方向に上昇した際には、凹部によるライナーと口部の外周側面との密着状態を確実に継続させることができ、その密着力を向上させることができるとともに、ＴＥバンドが分離するまで容器内の密封性を十分に確保できる。
【００２１】
請求項４の発明によれば、キャップに形成された凹部がライナーを開口端である口部に押しつけるようにして密着させるように凹部が成形された容器は、開栓動作中においても容器の密封性を確保できる。また、その凹部が成形された容器は、スカート部と環状部材とが破断し始めてからその環状部材がキャップから分離するよりも先に、容器の密封性が損なわれることを確実に防止できる。さらに、容器本体の口頸部に冠着させたキャップに凹部を成形させる工程が発生するのみで、キャッピング工程の複雑化や装置の大型化や増設なども必要なく生産ラインに導入できる。
【００２２】
請求項５の発明によれば、凹部が成形された容器では、密封性を維持するためにライナーが密着する部分が、縦断面が直線状の外周側面であるために、キャップを一定の回転力によって旋回させて開栓させることができる。また、凹部により密着させられるライナーの密着力も開栓動作に応じてキャップが軸線方向に動作する際も、その密着力が一定に保たれるため容器の密封性を一定して確保することができる。さらに、カール部の外周下面に当接するようにライナーが押し込まれることで、容器の密封性を向上させることができる。
【００２３】
請求項６の発明によれば、成形トルクが１Ｎ・ｍ以上４Ｎ・ｍ以下の成形ローラによって凹部を成形することによって、キャップのスカート部やライナーに過度なダメージを与えることなく、ライナーを口部に密着させることができる。
【図面の簡単な説明】
【００２４】
【図１】この発明に係る容器の実施形態を模式的に示した側面図および一部側面断面図である。
【図２】（ａ）は容器本体の開口端における容器本体とキャップとの密着状態を模式的に示した側面断面図であり、（ｂ）は容器本体の開口端を形成するカール部の側面断面図である。
【図３】キャッピング装置により凹部を成形する際の容器とその成形ローラとの位置関係を示した図である。
【図４】その凹部を成形する際の容器と成形ローラとの接触状態を拡大して位置関係を示した模式図である。
【発明を実施するための形態】
【００２５】
この発明を具体例に基づいて説明する。この発明に係る容器は、容器本体と螺合して連結するキャップが未開封である否かが外観から視認できる容器であり、特に未開封キャップの開栓動作に応じてキャップから破断される環状部材がキャップから分離されるよりも先に、キャップの内側に設けられた封止部材と容器本体の開口端との密着が解除されないものである。また、この発明に係る容器の成形方法は、上述した容器となるように、容器本体の開口端における外周側壁と封止部材とがキャップの開栓動作に応じて容器における密封状態を確保できるような凹部を、キャップにロールオン成形させるものである。
【００２６】
図１は、この発明に係る容器の実施形態を模式的に示した側面図および一部側面断面図である。容器１は、開口端を形成する口頸部１０ａを有する容器本体１０と、その開口端となる口頸部１０ａを封止するためのキャップ２０とを含み、未開封の容器であることが外観から視認できるタンパーエビデンスバンド（以下「ＴＥバンド」と記す。）２６を備えたものである。
【００２７】
容器本体１０は、閉口している底部１０ｃが筒状の胴部１０ｂの一方端に一体化され、その他方端には口頸部１０ａが一体化されるとともに、この口頸部１０ａには開口端である口部とキャップ２０が螺合される頸部とが含まれるものである。すなわち、容器本体１０の一部が開口した口部を含む口頸部１０ａを備え、その口部がキャップ２０により封止されることで、容器本体１０は密封されて内容物を収容するものである。また、容器本体１０は、アルミニウム合金や表面処理鋼板等の金属材料から成形されている。
【００２８】
具体的には、口頸部１０ａは、胴部１０ｂから上方へ延設された筒状の頸部と、その頸部の上端に形成される開口端であるとともに容器本体１０の開口端でもある口部とを含むものである。その口頸部１０ａはキャップ２０が装着されるものであり、頸部には、キャップ２０に形成されたネジ部２４ａと螺合するネジ部１２と、ＴＥバンド２６の上昇側への移動を阻止するために半径方向の外方に膨らんだ段形状の顎部１３とを有する。また、口部は、頸部を形成する金属板の端部を容器外方に折り曲げたカール部１１を有する。なお、各図に例示するカール部１１は、四重に折り曲げたものである。
【００２９】
そのカール部１１について、図２を参照して具体的に説明する。図２は、開口端となる口部を形成するカール部１１と凹部２４ｄにより押し込まれたライナー２２との密着状態を示す側面断面図である。カール部１１は、口頸部１０ａにおける上端部分を形成するものであり、円筒状の頸部の上端が開口端となるように容器外方へ頸部から延設した金属板端部を折り曲げたものである。すなわち、口部は環状に形成されたカール部１１によって形成された開口端であって、半径方向において頸部の内周側壁よりも外方にカール部１１が配設される。よって、カール部１１は口頸部１０ａにおける表面部分を構成し、軸線方向におけるカール部１１の上端である頂部１１ａが形成され、半径方向で頂部１１ａよりも容器外方に折り曲げられた金属板のうち前記表面部分を構成する部分に外周側壁１１ｃが形成される。
【００３０】
その外周側壁１１ｃには、カール部１１における下端である下端部１１ｂが含まれる。また、頂部１１ａよりも半径方向内方、すなわち口部の内周を形成する部分に内周側壁１１ｇが形成される。言い換えれば、頸部から延設された金属板端部により形成された口部であるカール部１１は、その金属板端へ向けて、開口端の内周部分を形成する内周側壁１１ｇに続き、口部の上端部分を形成する頂部１１ａ、カール部１１における外周部分の表面を形成する外周側壁１１ｃ、カール部１１における下端部分を形成する下端部１１ｂの順に形成されているとも言える。この実施形態におけるカール部１１の外周側壁１１ｃとは、開口端である口部の外周部分を形成するものであって、特に頂部１１ａと下端部１１ｂとの間に形成された部分である。
【００３１】
また、その外周側壁１１ｃは、縦断面で直線状に形成された表面部分を形成する外周側面１１ｄを有している。この外周側面１１ｄは、ライナー２２の外側突起部２２ｃが密着して当接されるものである。すなわち、カール部１１の外周側面１１ｄとライナーの外側突起部２２ｃとが密着して当接することで、容器１は封止され密封状態を維持できるものである。
【００３２】
その外周側壁１１ｃは外周側面１１ｄに加え、外周上面１１ｅと外周下面１１ｆとを有する。この外周上面１１ｅは、カール部１１の頂部１１ａと外周側面１１ｄとの間に形成され、例えば図２に例示するように縦断面で曲線状に形成されている。また、外周下面１１ｆは、カール部１１の下端部１１ｂと外周側面１１ｄとの間に形成され、外周上面１１ｅと同様に、その縦断面が曲線状になるように形成されている。すなわち、頂部１１ａから下端部１１ｂに到るまでの縦断面で、曲線から直線、そして曲線の順になるように、外周上面１１ｅと外周側面１１ｄと外周下面１１ｆとが順に形成されている。なお、この外周側面１１ｄの断面直線状における線分は、容器本体１０における軸線方向と平行な直線状の線分に形成されてもよい。
【００３３】
キャップ２０は、金属製の天板部２３およびスカート部２４と、容器本体１０の開口端を密封する合成樹脂製のライナー２２とを備えている。金属製の天板部２３およびスカート部２４は、周知のキャップ用の金属材料、例えばアルミニウム合金や表面処理鋼板などにより構成されている。また、合成樹脂製のライナー２２は、オレフィン系樹脂，ポリエステル系樹脂，スチレン系樹脂，アクリル系樹脂などの樹脂材料により構成されている。
【００３４】
そのキャップ２０は、天板部２３の周縁部分から垂下するようにスカート部２４が形成されている。図１に示すように、そのスカート部２４の下端には、破断可能に形成された複数のブリッジ２５と円周方向に延びる切れ目であるスリット２７とが交互に配設された破断ラインが形成されており、そのブリッジ２５を介して開栓動作に応じてスカート部２４から分離する環状部材であるＴＥバンド２６が一体に形成されている。したがって、ブリッジ２５とＴＥバンド２６も金属製である。
【００３５】
また、天板部２３の内側面には、容器本体の開口端を密封する合成樹脂製のライナー２２が設けられている。そのライナー２２は、キャップ２０の天板部２３内面の周縁部分において、容器本体１０のカール部１１に対向するように環状に形成されている。例えば、図２に例示するように、開口端であるカール部１１の頂部１１ａに密接される凹陥部２２ａと、凹陥部２２ａの内周縁から下方に突出するように形成されかつカール部１１の内周側壁１１ｇに対向するように形成された内側突起部２２ｂと、凹陥部２２ａの外周縁から下方に突出するように形成されかつカール部１１の外周側壁１１ｃに密接するように形成された外側突起部２２ｃとを有する樹脂製のライナー２２である。なお、外側突起部２２ｃの外周面とキャップ２０のスカート部２４の内周面とは非接着の状態となっている。
【００３６】
図１に示すように、スカート部２４には、容器本体１０の口頸部１０ａに形成されたネジ部１２に対応するように形成されたネジ部２４ａと、このネジ部２４ａの上方に、半径方向における凹部２４ｅと凸部とを円周方向に亘る環状において交互に配設させたナール部２４ｂが形成され、そのナール部２４ｂの凹部２４ｅの上部には、容器１の開栓時に容器内部のガスなどの気体を速やかに排出するため、すなわち開栓時に容器内部の圧力を排出するために形成された円周方向に延びる切れ目であるベントスリット２４ｃが形成される。
【００３７】
さらに、キャップ２０におけるスカート部２４の上側部分であって、閉栓状態においてカール部１１と外側突起部２２ｃとが密接している位置に、ライナー２２の外側突起部２２ｃをカール部１１の外周側面１１ｄに押し付けるように半径方向内方へ凹んだ環状の凹部２４ｄが形成されている。例えばその凹部２４ｄは、軸線方向において、天板部２３の周縁部分と、円周方向に断続的に形成されたベントスリット２４ｃとの間に位置するように成形される。凹部２４ｄは、天板部２３よりも軸線方向に間隔を開けて下方に形成されている。言い換えると、凹部２４ｄは、スカート部２４の上側部分に部分的に設けられている。そのため、凹部２４ｄの最も半径方向内方に凹んだ箇所の外径は、それより上方に位置するスカート部２４の上側部分よりも小径に形成されている。また、ライナー２２の外側突起部２２ｃの厚さは、凹部２４ｄによって押し付けられて凹んだ箇所ではそれよりも上方または下方の部分よりも半径方向で薄肉になっている。言い換えると、凹部２４ｄの上方には、凹部２４ｄによって押し付けられた箇所よりも厚肉のライナー２２を有し、かつ、凹部２４ｄよりも半径方向外方に突出する膨張部が形成されている。閉栓状態において、凹部２４ｄの最も半径方向内方に凹んだ箇所は、カール部１１の外周側面１１ｄの軸線方向における中心位置に対して、それと同等またはそれよりも下方に位置されていることが好ましい。また、この位置は、ロールオン成形時に、容器本体１０に被覆して冠着されたキャップ２０に対して、その容器本体１０の口頸部１０ａの頂部１１ａの位置を基準として、凹部２４ｄが形成される位置を決定するものであってもよい。
【００３８】
そのスカート部２４の所定の位置に形成された凹部２４ｄによって、閉栓状態において、キャップ２０に形成された樹脂製のライナー２２における外側突起部２２ｃがカール部１１の外周側壁１１ｃに密着して当接される。特に、その外側突起部２２ｃと外周側壁１１ｃにおける外周側面１１ｄとを密着して当接させるものが半径方向内方に凹んで形成された凹部２４ｄである。
【００３９】
また、ブリッジ２５が破断前の未開封状態もしくはキャップ２０が容器本体１０に相対回転しない閉栓状態において、ライナー２２の外側突起部２２ｃの下端は、カール部１１の下端部１１ｂよりも軸線方向の下方に位置している。すなわち、ライナー２２の外側突起部２２ｃは、少なくとも未開封状態において、カール部１１の下端部１１ｂよりも下方にその下端が位置するようになって、容器１は密封状態を維持している。また、スカート部２４の凹部２４ｄが半径方向内方にその外側突起部２２ｃを押し込むように成形されることにより、外側突起部２２ｃの凹部２４ｄにより押さえ付けられた部分はカール部１１の外側側面１１ｄと強固に密着するのに加え、凹部２４ｄにより押さえ付けられたライナー材はその上下方向に逃げるように移動するため、凹部２４ｄよりも下方に位置する外側突起部２２ｃは、その分肉余りになり、その下端部分はカール部１１の外周下面１１ｆと密着するように半径方向の内方に突出するように変形する。一方、凹部２４ｄよりも上方に位置する外側突起部２２ｃも、凹部２４ｄにより押さえ付けられたライナー材が移動することにより樹脂量が増加する。これにより、凹部２４ｄの上方における外側突起部２２ｃは十分な肉厚を確保することができ、その結果、密封状態の容器を誤って落下させた際にキャップ２０のコーナー部に衝撃が加えられても、十分に密封性を確保できるので、耐落下衝撃性を向上することができる。
【００４０】
次に、容器本体１０にキャップ２０を冠着させロールオン成形する際に、キャップ２０に環状の凹部２４ｄを成形する方法について説明する。図３は、キャップ２０をロールオン成形により容器本体１０とキャッピングさせるキャッピング装置３０とを模式的に示した図である。その容器本体の口頸部１０ａに被覆されたキャップ２０は、キャッピング装置３０の押圧機３２により軸線方向の荷重を作用される。
【００４１】
このようにキャップ２０の天板部２３を押さえながら、軸線方向と直交する方向、すなわち水平方向からスカート部２４の外側面に凹部２４ｄを成形する成形ローラ３１からの荷重を作用させる。図４は、図３で例示したキャップ２０と成形ローラ３１との押圧部分を拡大した模式図である。図４などに例示するように、その成形荷重が作用される位置は、スカート部２４の上側であって、カール部１１の外周側面１１ｄとライナー２２の外側突起部２２ｃとが密接している位置である。その位置は、例えばキャッピング装置３０の下端の所定位置を基準として、この基準位置から所定高さ下降した位置に、その成形ローラ３１に係る押圧面の高さが設定されるようにして決定されるものであってもよい。なお、図４に例示される破線は、成形ローラ３１により成形荷重が作用される前のスカート部２４が位置する箇所を示す縦断面図である。
【００４２】
また、成形ローラ３１は、キャップ２０の外環を円周方向に円運動しながらキャップ２０に軸線方向と直交する方向、すなわち水平方向から荷重を作用させる。したがって、成形ローラ３１の成形トルクを変化させることにより、凹部２４ｄを半径方向内方に凹ませる程度を変化させることができる。成形トルクとは、凹部２４ｄの成形時にキャップ２０に加えられる荷重のことである。
【００４３】
キャップ２０の材料をアルミニウム合金とした場合、成形トルクは、１Ｎ・ｍ以上４Ｎ・ｍ以下が好ましく、この範囲に設定することにより、キャップ２０のスカート部２４やライナー２２に過度の成形ダメージを与えることなく、ライナー２２をカール部１１の外周側面１１ｄに密着させることができる。
【００４４】
なお、成形ローラ３１におけるキャップ２０へ成形荷重を作用させる部分は、その縦断面が曲線状に形成され、その下側へ向けて徐々に縮径するテーパー面を形成するような傾斜状に形成されている。これにより、凹部２４ｄが成形された影響でネジ部２４ａが半径方向内方へ押し込まれることを防止することもできる。
【００４５】
また、上述した凹部２４ｄの成形工程は、ネジ部２４ａを成形するいわゆるＲＯローラであるネジローラによってロールオン成形させ、スカート部２４の下端を巻締めるいわゆるＰＰローラであるスカートローラによってＴＥバンド２６を口頸部１０ａに巻締め成形させた後に行うこともできるが、ネジ部２４ａを成形する前またはネジ成形と同時に行うことが好ましい。
【００４６】
次に、密封された容器１におけるキャップ２０の開栓動作について説明する。その密封された容器１のうち、キャップ２０が未開封の状態について、図１，２を参照して具体的に説明する。容器１が未開封の状態では、キャップ２０のＴＥバンド２６は分離されておらずブリッジ２５を介してキャップ３と一体に連結されている。この密封状態において、ライナー２２の外側突起部２２ｃは、凹部２４ｄにより押し込まれカール部１１の外周側面１１ｄと密着して当接している。また、外側突起部２２ｃの下端は外周側面１１ｄよりも半径方向内方に押し込まれ、外周下面１１ｆと密着するように当接している。
【００４７】
このような密着状態から容器１の開栓動作に応じて、キャップ２０は軸線方向に上昇して、容器本体１０の口頸部１０ａに対して上方に上昇し始める。しかしながら、ＴＥバンド２６が上方へ移動しようとしても、口頸部１０ａの顎部１３に係止されて軸線方向の上昇側への移動を阻止される。それにより、ブリッジ２５は徐々に破断し始め、完全に破断するとキャップ２０とＴＥバンド２６とが分離する。したがって、ＴＥバンド２６が完全に分離するまでの間に、キャップ２０は所定量の上昇を行うことになるが、この間もカール部１１の外周側壁１１ｃと外側突起部２２ｃとの密着状態は継続され、容器１の密封性を確保するものである。
【００４８】
例えば、ＴＥバンド２６が分離するまでのキャップ２０の上昇量よりも、外周側面１１ｄの軸線方向の長さが長ければ、外側突起部２２ｃとの密着状態を継続させることができる。もしくは、未開封状態において密着状態にある外側突起部２２ｃと外周側面１１ｄとの当接部分における軸線方向の長さが、その上昇量よりも長くなるように、外側突出部２２ｃおよび外周側面１１ｄが形成されていればよい。また、少なくとも外側突起部２２ｃの下端が、凹部２４ｄの最も半径方向内方に凹んだ部分よりも軸線方向下方に位置されていればよい。
【００４９】
このように、この発明に係る容器１の開栓動作において、キャップ３の軸線方向の上昇動作と、容器１の密封状態の継続とは連動したものではなく、すなわちＴＥバンド２６が分離された瞬間に直ちに容器内の密封状態が解除されたことを意味するものではない。なお、未開封状態からの開栓動作に応じて分離されたＴＥバンド２６は、容器本体１０と一体になるように口頸部１０ａの外周部分に環状部材として係止される。すなわち、ブリッジ２５が破断し、キャップ３のスカート部２４とＴＥバンド２６とが分離している場合には、容器１のキャップ２０が一度開封され未開封の状態を脱していることが外観から視認できる構成である。
【００５０】
以上説明したように、この実施形態における容器１によれば、ライナー２２を水平方向からカール部１１に押し付けることで、カール部１１の外周下面１１ｆ側にまで、ライナー２２を行き渡らせることができ、その結果、キャップ２０を開栓する際に、外側突起部２２ｃをブリッジ２５が破断されるまで、カール部１１に密接させ続けることができる。
【００５１】
なお、この発明に係る容器は上述の実施形態に限定されるものではない。この発明を逸脱しない範囲において、適宜変更することが可能である。
【００５２】
例えば、上述の実施形態では、軸線方向に平行な直線状の縦断面となる外周側面１１ｄを有するカール部１１について説明したが、軸線方向から傾斜した直線状の縦断面、すなわちテーパー面を形成する外周側面を有するカール部であってもよい。この場合、内周側壁の縦断面も軸線方向に傾斜した直線状のテーパー面となってもよい。
【００５３】
また、この発明に係る金属製キャップ付き容器および金属製キャップ付き容器の成形方法では、図４に破線で例示するような、成形ローラ３１によるロールオン成形前のスカート部２４の形状において、ライナー２２とカール部１１の外周側壁１１ｃとが密着状態にあるか否かを問わない。すなわち、この発明に係る容器１は、成形ローラ３１による凹部２４ｄのロールオン成形前の状態に拘わらず、環状に成形された凹部２４ｄによって、外側突起部２２ｃと外周側面１１ｄとが密着して当接されればよいものである。
【００５４】
さらに、天板部２３の内面側に設けられたライナー２２が、口頸部１０ａの口部と対向するように環状に形成されている実施例について説明したが、これに限定されない。例えば、口頸部１０ａの口部を凹陥部２２ａで密着するように形成されたライナー２２であればよく、天板部２３の内面側の全体に亘って樹脂製のライナーが設けられ、口部と対向する部分のみ垂下するように外側突起部が形成されていてもよい。また、内側突起部２２ｂは口頸部１０ａの内周側と密着しても、密着しなくてもどちらでもよい。すなわち、内側突起部２２ｂが口頸部１０ａの内周表面に沿うような形状で天板部２３から垂下するように形成されいるか否かに拘わらず、カール部１１の外周側壁１１ｃとライナー２２との密着により容器１の密封性を確保するものであればよい。
【符号の説明】
【００５５】
１…容器、  １０…容器本体、  １０ａ…口頸部、  １１…カール部、  １１ｃ…外周側壁、  １１ｄ…外周側面、  １１ｆ…外周下面、  １２…ネジ部、  ２０…キャップ、  ２２…ライナー、  ２２ｃ…外側突起部、  ２３…天板部、  ２４…スカート部、  ２４ａ…ネジ部、  ２４ｄ…凹部、  ２５…ブリッジ、  ２６…タンパーエビデンスバンド（ＴＥバンド）、  ２７…スリット、  ３０…キャッピング装置、  ３１…成形ローラ。
【図１】
2013082488.tif 000003
【図２】
2013082488.tif 000004
【図３】
2013082488.tif 000005
【図４】
2013082488.tif 000006